(57)【要約】【課題】ヒータ線とリード線の接続作業が容易であり、しかもリード線等のサイズが変わっても設計および製造が簡単である線状部材の防水処理構造を提供する。【解決手段】リード線２１は電源に電気的に接続される。ヒータ線２２はリード線２１を介して電力を供給され発熱する。挿通孔１２がハウジング１１に形成される。リード線２１とヒータ線２２は各先端を同一方向に向けた状態で、カシメ部材２３により連結され、固定される。カシメ部材２３により連結されたリード線２１とヒータ線２２は挿通孔１２の入口部１３から端部１４に向かって挿入された状態で挿通孔１２内に固定される。挿通孔１２の中に、端部１４に形成された注入孔１５から封止樹脂が注入され、充填される。【選択図】図１
2015008042.tif 000002
【特許請求の範囲】
【請求項１】
電源に電気的に接続されたリード線と、
前記リード線を介して電力を供給され発熱するヒータ線と、
挿通孔が形成されたハウジングと、
前記リード線とヒータ線の各先端を同一方向に向けた状態で、これらリード線とヒータ線を連結して固定するためのカシメ部材とを備え、
前記カシメ部材により連結された前記リード線とヒータ線が、前記挿通孔の入口部から端部に向かって挿入された状態で前記挿通孔内に固定され、前記挿通孔の中に、前記端部に形成された注入孔から注入された封止樹脂が充填されることを特徴とする線状部材の防水処理構造。
【請求項２】
前記カシメ部材が前記リード線とヒータ線を受容するための溝部を有する板状部材であり、前記リード線とヒータ線が前記溝部に配置された状態で、前記溝部の両側の縁部が折り曲げられて、前記リード線とヒータ線が連結固定されることを特徴とする請求項１に記載の防水処理構造。
【請求項３】
前記ヒータ線が前記溝部の底面に配置されるとともに、前記リード線が前記ヒータ線の上に載置され、前記カシメ部材の前記縁部が折り曲げられて前記リード線の上面に押付けられることを特徴とする請求項２に記載の防水処理構造。
【請求項４】
前記挿通孔と前記注入孔を連結する中間孔の内壁面に、前記カシメ部材の外周面に部分的に係合して前記カシメ部材を固定する突起が形成されることを特徴とする請求項１に記載の防水処理構造。
【発明の詳細な説明】
【技術分野】
【０００１】
本発明は例えば排気ガス浄化装置に設けられる尿素水配管を加熱するための装置に関し、より詳しくは、配管を加熱するためのヒータ線と、ヒータ線に電力を供給するためのリード線との接続部分における防水処理構造に関する。
【背景技術】
【０００２】
従来、このような加熱装置として特許文献１に開示されたものが知られている。この加熱装置において、圧着端子には配線挿通路が形成されており、ヒータ線は配線挿通路の一方の開口から、リード線は配線挿通路の反対側の開口から挿入され、ヒータ線とリード線は配線挿通路内において接続されている。この接続部分には防水処理を施すことが必須であり、配線挿通路の２つの開口の内側にはそれぞれ、封止部材が設けられている。
【先行技術文献】
【特許文献】
【０００３】
【特許文献１】特開２００９−３０７７１号公報
【発明の概要】
【発明が解決しようとする課題】
【０００４】
圧着端子においてヒータ線とリード線を接続する作業では、まずヒータ線とリード線を反対方向から挿入して治具に固定する作業が必要であり、この固定状態を維持しながらヒータ線とリード線を接続しなければならず、接続作業は非常に煩雑であって熟練を要する。また、例えばリード線の外径が変わると、圧着端子だけでなく防水用の封止部材も新たに設計することが必要であり、製造コストがかかるという問題がある。
【０００５】
本発明は、ヒータ線とリード線の接続作業が容易であり、しかもリード線等のサイズが変わっても設計および製造が簡単である線状部材の防水処理構造を提供することを目的としている。
【課題を解決するための手段】
【０００６】
本発明に係る線状部材の防水処理構造は、電源に電気的に接続されたリード線と、リード線を介して電力を供給され発熱するヒータ線と、挿通孔が形成されたハウジングと、リード線とヒータ線の各先端を同一方向に向けた状態で、これらリード線とヒータ線を連結して固定するためのカシメ部材とを備え、カシメ部材により連結されたリード線とヒータ線が、挿通孔の入口部から端部に向かって挿入された状態で挿通孔内に固定され、挿通孔の中に、端部に形成された注入孔から注入された封止樹脂が充填されることを特徴としている。
【０００７】
カシメ部材は例えば、リード線とヒータ線を受容するための溝部を有する板状部材であり、リード線とヒータ線が溝部に配置された状態で、溝部の両側の縁部が折り曲げられて、リード線とヒータ線が連結固定されるように構成されてもよい。この場合、ヒータ線が溝部の底面に配置されるとともに、リード線がヒータ線の上に載置され、カシメ部材の縁部が折り曲げられてリード線の上面に押付けられることが好ましい。
【０００８】
挿通孔と注入孔を連結する中間孔の内壁面に、カシメ部材の外周面に部分的に係合してカシメ部材を固定する突起が形成されてもよい。この構成によれば、リード線とヒータ線をハウジング内に仮止めすることができ、封止樹脂の注入作業が容易になる。
【発明の効果】
【０００９】
本発明によれば、ヒータ線とリード線の接続作業が容易であり、しかもリード線等のサイズが変わっても設計および製造が簡単であるという効果が得られる。
【図面の簡単な説明】
【００１０】
【図１】本発明の一実施形態である防水処理構造を示し、一部を破断して示す斜視図である。
【図２】リード線とヒータ線をカシメ部材により連結固定する手順を示す説明図である。
【図３】図１に示す防水処理構造の断面図である。
【発明を実施するための形態】
【００１１】
以下、本発明の一実施形態である防水処理構造を、図面を参照して説明する。
図１に示されるように、ハウジング１１には挿通孔１２が形成され、挿通孔１２にはリード線２１とヒータ線２２が挿入される。挿通孔１２は入口部１３から端部１４まで延び、端部１４には注入孔１５が形成される。またハウジング１１には、挿通孔１２と注入孔１５を連結する中間孔１６が形成される。
【００１２】
リード線２１は電源（図示せず）に電気的に接続される。ヒータ線２２はリード線２１に電気的に接続され、リード線２１を介して電力を供給されて発熱する。本実施形態が排気ガス浄化装置に適用される場合、ヒータ線２２は例えば尿素水配管を加熱するために用いられるが、用途はこれに限定されない。
【００１３】
リード線２１とヒータ線２２はそれぞれ、先端を同一方向に向けた状態で並べられ、これらの先端がカシメ部材２３によって固定される。後に詳述するようにカシメ部材２３は、リード線２１とヒータ線２２が取付けられる前の状態では断面がコの字状を呈するが、リード線２１とヒータ線２２が載置された後、両側の縁部が内方に湾曲するように塑性変形されてリード線２１の上面に押付けられ、これによりリード線２１とヒータ線２２は連結して固定される。
【００１４】
ハウジング１１の中間孔１６の内壁面には４つの突起１７が形成される。突起１７は図１において内壁面の上下および左右から内方へ向かって突出する。リード線２１とヒータ線２２は、カシメ部材２３により連結された状態で挿通孔１２の入口部１３から端部１４に向かって挿入され、カシメ部材２３は４つの突起１７のうちの例えば上下の２つの突起１７に係合する。すなわち突起１７がカシメ部材２３の外周面に部分的に係合することにより、カシメ部材２３は固定される。
【００１５】
図２はリード線２１とヒータ線２２をカシメ部材２３により連結固定する手順を示している。カシメ部材２３はリード線２１とヒータ線２２を受容するための溝部２４を有する板状部材である。ヒータ線２２はリード線２１よりも細い径を有し、リード線２１の下側に設けられる。すなわちヒータ線２２が溝部２４の底面に配置され、リード線２１がヒータ線２２の上に載置される。そしてカシメ部材２３の両側の縁部２５が内側に折り曲げられてリード線２１の上面に押付けられ、リード線２１は押し潰されて扁平に変形する。一方ヒータ線２２はリード線２１の変形によってリード線２２の下側部分に埋め込まれるが、原形を維持する。
【００１６】
カシメ部材２３によって連結されたリード線２１とヒータ線２２は、図３に示されるように、カシメ部材２３が中間孔１６の突起１７に係合することによって挿通孔１２内に仮止めされる。この状態で、注入孔１５から封止樹脂２６が注入されて挿通孔１２内に充填される。封止樹脂２６はシリコーン変成ポリマー系弾性接着剤であり、注入孔１５から注入される工程において、中間孔１６の各突起１７の間を通って挿通孔１２へ供給され、入口部１３まで達する。
【００１７】
以上のように本実施形態は、リード線２１とヒータ線２２の各先端を同じ方向へ向け、リード線２１の下側にヒータ線２２を配置してカシメ部材２３により連結するように構成され、またリード線２１とヒータ線２２は、カシメ部材２３が中間孔１６の突起１７に係合することにより挿通孔１６内に仮止めされる。すなわち作業者は一方の手でハウジング１１を保持しながら、他方の手でリード線２１とヒータ線２２を挿通孔１２内に仮止めし、注入孔１５から封止樹脂２６を注入すればよい。したがって本実施形態によれば、従来のようにリード線とヒータ線を反対方向から付き合わせるようにしてカシメ部材に取付ける場合と比較すると、リード線とヒータ線を一時的に保持する治具が不要であり、作業は非常に簡単になり熟練を要しない。
【００１８】
また従来技術では、ハウジング内の配線挿通路の両方の開口にそれぞれ、リード線２１とヒータ線２２に嵌合して配線挿通路を密閉する封止部材を設ける必要があったが、本実施形態では封止樹脂２６を用いており、封止部材は不要である。したがって、例えばリード線の径が変更された場合であっても、封止部材を設計し直す必要はない。またカシメ部材の設計変更も不要であり、リード線２１とヒータ線２２を束ねて収容できるカシメ部材２３を市販品から選択すればよい。したがって本実施形態によれば、リード線２１とヒータ線２２の接続組立体の製造コストを抑えることができる。
【００１９】
なお上記実施形態ではヒータ線２２が設けられているが、電流によって発熱するような細いリード線を使用してもよく、本発明でいうヒータ線には、このような細いリード線も含まれる。
【００２０】
また上記実施形態において封止樹脂２６はシリコーン変成ポリマー系弾性接着剤であったが、シール性を有するものであれば、これに限定されず、他の接着剤を用いてもよい。
【符号の説明】
【００２１】
１１  ハウジング
１２  挿通孔
１３  入口部
１４  端部
１５  注入孔
２１  リード線
２２  ヒータ線
２３  カシメ部材
２４  溝部
２６  封止樹脂
【図１】
2015008042.tif 000003
【図２】
2015008042.tif 000004
【図３】
2015008042.tif 000005